(57)【要約】【課題】同じ閃光発光量でより遠方の被写体にまで閃光を到達させることができ、かつ正確にホワイトバランスの調節を行なうことができるデジタルカメラを提供する。【解決手段】閃光モードの中の「オート発光」モードを選択して日中に閃光を伴う撮影を行なうときに、メインＣＰＵ１１０によって閃光の照射角度を調整して閃光発光を行なう。電子ズームが行なわれたら、その電子ズームで拡大される主被写体領域に向けて閃光が狭められて照射される。測光・測距ＣＰＵ１４０で主被写体領域と周辺領域それぞれの領域の輝度をそれぞれ検出して、主被写体領域の輝度が周辺領域よりも所定の値以下であったら、照射角度が狭められて閃光が被写体に向けて照射される。ホワイトバランス調整・γ処理部１１２では閃光の色温度に応じたホワイトバランスに画像データが調整される。【選択図】　　図３
2004053933.tif 000002
【特許請求の範囲】
【請求項１】
被写体を撮影するカメラにおいて、
被写体に向けて閃光を発光する、照射角の調整が自在な閃光発光部と、
被写体が閃光発光を要する暗い輝度下にある閃光撮影条件に合致するか否か、および、主被写体が周囲と比べ相対的に所定の輝度差を超えた低輝度下にある日中シンクロ条件に合致するか否かを判定する撮影条件判定手段と、
前記日中シンクロ条件下の閃光発光撮影では、前記閃光撮影条件下の閃光発光撮影と比べ、前記閃光発光部から発せられる閃光の照射角が狭められるように、該照射角を調整する照射角制御手段とを備えたことを特徴とするカメラ。
【請求項２】
このカメラは、被写体の画像を表わす画像信号を生成する撮像素子を備えた電子カメラであって、
前記撮像素子で得られた画像信号に基づいて、撮影画角が調整された画像信号を生成する電子ズーム手段を備え、
該電子ズーム手段は、前記日中シンクロ条件下の閃光発光撮影時に、主被写体が撮影される撮影画角に調整された画像信号を生成するものであることを特徴とする請求項１記載のカメラ。
【請求項３】
このカメラは、被写体の画像信号を生成する撮像素子を備えた電子カメラであって、
前記撮像素子で得られた画像信号のホワイトバランスを調整するホワイトバランス調整手段を備え、
該ホワイトバランス調整手段は、前記日中シンクロ条件下の閃光発光撮影時には、前記撮像素子で得られた画像信号を、前記閃光発光部から発せられる閃光の色温度に応じたホワイトバランスに調整するものであることを特徴とする請求項１記載のカメラ。
【発明の詳細な説明】
【０００１】
【発明の属する技術分野】
本発明は、被写体に向けて閃光を自動的に発光することが可能なカメラに関する。
【０００２】
【従来の技術】
カメラの中には広角あるいは望遠といった光学ズームが行なわれたときにその光学ズームにあわせて閃光の配光を整える自動閃光発光装置を搭載したものがある。このようなカメラの中には特開平６−３５０３９号公報のものがある。このようなカメラでは、光学ズーム操作に基づいてズームされた被写体を包含する範囲に、均一に閃光が照射されるように配光が整えられて閃光が照射される。
【０００３】
またデジタルカメラの中には電子ズームの機能が備えられているものもある。電子ズームが行なわれる場合には光学ズームとは異なり、望遠あるいは広角といった光学ズームに対応する撮影画角の範囲の中央部にある被写体像が電子的に拡大される。このような機能を持ったデジタルカメラとして特開平６−１８１５３１号公報に記載のものがある。
【０００４】
【発明が解決しようとする課題】
このようなカメラを用いて、電子ズームを行いながら日中に閃光を伴った撮影が行なわれることもある。このような撮影は日中シンクロ撮影と呼ばれ、この日中シンクロ撮影が行なわれる場合には、日中であるが故に外界の色温度の影響を受けて、ホワイトバランス調整が正確には行なわれないといったことが起こることがある。このような場合には表示装置で表示される被写体像に色むらがでたり、印刷された被写体像に色むらがでたりして画質が低下する。
【０００５】
また、特開平６−３５０３９号公報に記載された電子閃光装置では、光学ズームが行なわれたときには閃光が調整されるが、電子ズームが行なわれたときには閃光の配光が調整されない。したがって電子ズームが行なわれて閃光を伴った撮影が行なわれた場合には、光学ズームの最大倍率に応じた撮影画角全体に閃光が照射されて、ズームされる被写体以外の部分に無駄な閃光が行なわれてしまう。
【０００６】
本発明は、上記事情に鑑み、同じ閃光発光量でより遠方の被写体にまで閃光を到達させることができ、かつ正確にホワイトバランスの調節を行なうことができるデジタルカメラを提供することを目的とする。
【０００７】
【課題を解決するための手段】
上記目的を達成する本発明のカメラは、被写体を撮影するカメラにおいて、
被写体に向けて閃光を発光する、照射角の調整が自在な閃光発光部と、
被写体が閃光発光を要する暗い輝度下にある閃光撮影条件に合致するか否か、および、主被写体が周囲と比べ相対的に所定の輝度差を超えた低輝度下にある日中シンクロ条件に合致するか否かを判定する撮影条件判定手段と、
上記日中シンクロ条件下の閃光発光撮影では、上記閃光撮影条件下の閃光発光撮影と比べ、前記閃光発光部から発せられる閃光の照射角が狭められるように該照射角を調整する照射角制御手段とを備えたことを特徴とするとを備えたことを特徴とする。
【０００８】
日中シンクロ撮影の場合、被写界全体としては明るく、主被写体にのみ閃光が照射されればよい。
【０００９】
上記発明のカメラによれば、上記撮影条件判定手段で日中シンクロ条件が満足されたと判断された場合には照射角制御手段により閃光の照射角が狭められて被写体に向けて閃光が照射される。したがって今までと同じ閃光発光量であっても遠くの被写体にまで閃光を到達させることができる。
【００１０】
ここで、上記発明のカメラは被写体の画像を表わす画像信号を生成する撮像素子を備えた電子カメラであって、その撮像素子で得られた画像信号に基づいて、撮影画角が調整された画像信号を生成する電子ズーム手段を備え、その電子ズーム手段は、上記日中シンクロ条件下の閃光発光撮影時に、主被写体が撮影される撮影画角に調整された画像信号を生成するものであることが好ましい。
【００１１】
日中シンクロ撮影の場合、暗い場所での閃光発光撮影と比べ、主被写体が比較的に遠いシーンの撮影が多い。そこで本発明において、上記のように電子ズーム手段が、上記日中シンクロ条件下の閃光発光撮影時に、主被写体が撮影される撮影画角に調整された画像信号を生成するものであると、主被写体が充分な大きさで撮影された画像を得ることができる。
【００１２】
さらに上記発明のカメラは、被写体の画像信号を生成する撮像素子を備えた電子カメラであって、その撮像素子で得られた画像信号のホワイトバランスを調整するホワイトバランス調整手段を備え、
そのホワイトバランス調整手段は、日中シンクロ条件下の閃光発光撮影時には、撮像素子で得られた画像信号を、閃光発光部から発せられる閃光の色温度に応じたホワイトバランスに調整するものであることが好ましい。
【００１３】
日中シンクロ撮影においても主被写体は閃光による撮影が主体となる。そこで、日中シンクロ撮影時には閃光発光部から発せられる閃光の色温度に応じたホワイトバランスに調整することにより、正しい色味の画像を得ることができる。
【００１４】
【発明の実施の形態】
以下、本発明の実施形態について説明する。
【００１５】
図１に本発明の実施形態を示すデジタルカメラの構成斜視図である。図１（ａ）は正面上方から見た図、（ｂ）は背面上方から見た構成斜視図である。
【００１６】
図１（ａ）に示すように、本実施形態のデジタルカメラ１００ではレンズ鏡胴１７０内に内蔵された撮影レンズを通してデジタルカメラ１００内部に配備されているＣＣＤ固体撮像素子まで被写体の像が導かれるようになっている。またデジタルカメラ１００内部には測距装置が備えられており、カメラボディには投光窓１０３、受光窓１０４がそれぞれ設けられている。この測距装置では投光窓１０３を通して被写体に向けて光が投光され、被写体にあたって戻ってくる戻り光が受光窓１０４を通して受光され、測距が行なわれる。その受光窓１０４と投光窓１０３に挟まれた位置にはファインダ用の対物窓１０５が備えられている。
【００１７】
また、デジタルカメラ１００内部には測光装置も配備されており、レンズ鏡胴１７０に内蔵された撮影レンズを通して導かれた被写体光から輝度が検出されている。
【００１８】
さらにフレネルレンズ１６０ｂからなる閃光発光窓１６０ａがカメラボディに嵌め込まれており、デジタルカメラ１００内部に配備された閃光発光部から発光された閃光が、閃光発光窓１６０ａを通して被写体に向けて照射される。この閃光発光部は光学ズーム操作だけでなく電子ズーム操作が行われても、そのズーム操作に応じた閃光を被写体に向けて照射することが可能な構成になっている。
【００１９】
図１（ｂ）に示すように本実施形態のデジタルカメラ１００の背面にはユーザがこのデジタルカメラ１００を使用するときにいろいろな操作を行うための操作部が設けられている。
【００２０】
この操作部には操作用のスイッチ群１０１と表示器としてＬＣＤパネル１８０ａが設けられている。操作スイッチ群にはデジタルカメラ１００を作動させるための電源スイッチ１０１ａ、十字キー１０１ｂ、メニュー／ＯＫキー１０１ｃ、キャンセルキー１０１ｄ、モードレバー１０１ｅなどがある。また十字キーの内部には操作内容をユーザに示すための表示を行なう表示用表示部１０１ｆが設けられている。
【００２１】
また、図１（ｂ）に示すようにこのデジタルカメラ１００の上方にはレリーズ釦１０２が配備されている。このレリーズ釦１０２によって撮影の開始指示がデジタルカメラ１００内部の信号処理部へと伝えられる。このデジタルカメラ１００ではモードレバー１０１ｅによって撮影と再生とが切替自在になっていて、撮影を行うときにはユーザによってモードレバー１０１ｅが撮影側に切り替えられ、再生を行うときにはモードレバー１０１ｅが再生側に切り替えられる。
【００２２】
図２はデジタルカメラ１００の内部に配備された信号処理部の構成ブロック図である。図２を参照してデジタルカメラ１００内にある信号処理部の構成を説明する。
【００２３】
図２はデジタルカメラ１００の内部に配備された信号処理部の構成ブロック図である。
【００２４】
本実施形態のデジタルカメラ１００ではすべての処理がメインＣＰＵ１１０によって制御されていて、このメインＣＰＵ１１０の入力部には図１（ｂ）に示した操作部の各種スイッチ群１０１がそれぞれ接続されている。メインＣＰＵ１１０にはＥＥＰＲＯＭ１１０ａが接続されており、このＥＥＰＲＯＭ１１０ａの中にはデジタルカメラ１００として動作するために必要なプログラムが書き込まれている。このデジタルカメラの電源スイッチ１０１ａが投入されると、そのプログラムの手順にしたがってＣＰＵ１１０によりデジタルカメラ全体の動作が制御される。
【００２５】
まず撮影された画像データの流れを図２を参照して説明する。
【００２６】
電源スイッチ１０１ａが投入されると、メインＣＰＵ１１０により電源スイッチ１０１ａが投入されたことが検知され、電源１３０からメインＣＰＵ，測光測距ＣＰＵなどの各ブロックに電力が供給される。電源１３０が投入されたときにモードレバー１０１ｅが撮影側に切り替えられていると、まずＣＣＤ固体撮影素子１１０に結像された被写体像が画像データとして所定の間隔ごとに読み出されてＬＣＤパネル１８０ａ上に撮影レンズが向けられた方向の被写体像が表示される。このＣＣＤ固体撮像素子１１１から読み出された画像データはＲＧＢ信号からなり、このＲＧＢ信号がホワイトバランス調整・γ処理部１１２に供給される。
【００２７】
このホワイトバランス調整・γ処理部１１２にはクロックジェネレータ（以下ＣＧという）１４１からタイミング信号が供給されており、そのタイミング信号に基づいてホワイトバランス・γ処理といった処理がこのホワイトバランス調整およびγ処理部１１２で行なわれる。
【００２８】
日中の通常の撮影においてはホワイトバランス・γ処理部１１２では図示しない測光装置の測定結果に基づいてＣＣＤ固体撮像素子で得られた画像データを、外界の色温度たとえば６０００Ｋに応じたホワイトバランスに調整することが行なわれる。また夜間に閃光を伴う撮影が行なわれる場合、ホワイトバランス・γ処理部１１２では、ＣＣＤ固体撮像素子で得られた画像データを閃光の色温度たとえば４７００Ｋに応じたホワイトバランスに調整することが行なわれる。
【００２９】
さらにデジタルの画像データに変換された信号はバッファメモリ１１４に供給されて、このバッファメモリ１１４から各処理部へバス１１５を介してＲＧＢ信号が転送される。まず、ＹＣ処理部１１５に転送されたＲＧＢ信号がＹＣ信号に変換されてその変換されたＹＣ信号が画像表示ＬＣＤ１８０側に供給される。画像表示ＬＣＤ１８０の前段にはＹＣ信号をＲＧＢ信号に変換するＹＣ→ＲＧＢ変換部１８１があり、このＹＣ→ＲＧＢ変換部１８１でＹＣ信号が再びＲＧＢ信号に変換され、その変換されたＲＧＢ信号がドライバ１８２を経由して画像表示ＬＣＤ１８０に供給される。この供給されたＲＧＢ信号に基づいて画像表示ＬＣＤ１８０では被写体像の画像表示が行なわれる。前述したＣＧ１４１から供給されるタイミング信号に基づいて所定の間隔ごとにＣＣＤ固体撮像素子１１１の画像データが読み出されている訳であるから、この画像表示ＬＣＤ１８０では撮影レンズ１７０が向けられた方向の被写体が被写体像として常に表示されている。
【００３０】
ここでレリーズ釦１０２が押下されると、そのレリーズ釦１０２が押されたときにＣＣＤ固体撮像素子１１１に結像された画像データがＹＣ信号に変換されてさらに圧縮／伸張回路およびＩＤ抽出部１２０でその画像データが圧縮されて、Ｉ／Ｆ１２１を経由してメモリカード１２２に記録される。この記録された画像データはＪＰＥＧ圧縮されており、記録されるときにはＥＸＩＦファイルとしてメモリカード１２２に記録される。このＥＸＩＦファイルにはヘッダ部が設けられており、このヘッダ部には撮影情報などが書き込まれている。したがって再生側に切り替えられて、メモリカード１２２からそのＥＸＩＦファイルが読み出されると、今度は圧縮された画像データの伸張が行なわれる。このときにはＥＸＩＦファイルのヘッダ情報からＩＤの抽出などが行なわれて、撮影条件にあった処理が行なわれて、被写体像が画像表示ＬＣＤ１８０の表示パネル１８０ａ上に表示される。
【００３１】
また、この実施形態のデジタルカメラ１００には、メインＣＰＵ１１０の他に焦点調整および露出調整を行なうための専用の測光・測距ＣＰＵ１４０が設けられており、この測光・測距ＣＰＵ１４０には充電・発光制御部１４２が接続されている。この充電発光制御部１４０では、図示しない測光装置および測距装置の制御が行なわれている。測光・測距ＣＰＵ１４０では充電・発光制御部１４２で制御される測光装置および測距装置それぞれの測定結果に基づいて焦点調整および露出調整が行なわれる。焦点調整にあっては測距装置の計測結果に基づいてフォーカスレンズ１５１ａ，１５１ｂを合焦点位置に駆動することが行なわれ、露出調整にあっては測光装置の測定結果に基づいて絞り１５２の開口の大きさが変更されてＣＣＤ固体撮像素子１１１の撮影面に与えられる光量が制御される。この露出調整においては、たとえば二つの開口を持つ絞りのうち、いずれかの絞りを光軸に配置することなどが測光・測距ＣＰＵ１４０で行なわれる。また測光装置の測定結果に基づいてメインＣＰＵ１１０では閃光の発光制御も行なわれる。
【００３２】
上記測光装置では撮影画角内のエリア別の測光が行なわれており、その測光装置には主被写体をスポット的に測光する部分と、その周辺の被写界を測光する部分とがそれぞれ設けられている。日中シンクロ撮影の場合においては、それらのエリアで測光された輝度の値に応じて閃光が発光されるようになっている。なお図示はしていないが焦点距離可変なレンズの位置の調整も行なわれており、被写体像が表示されているときに十字キー１０１ｂが操作されると、光学ズームの処理がこの測光・測距ＣＰＵ１４０で行なわれる。
【００３３】
このようなピントおよび焦点距離、露出といった調整を行なう専用の測光・測距ＣＰＵ１４０と、カメラ全体の動作を制御するメインＣＰＵ１１０とは互いに処理状況に応じてデータのやり取りを行なっており、それぞれのＣＰＵで行なわれるプロセスの処理状況に応じてメインＣＰＵ１１０と測光・測距ＣＰＵ１４０とで各部の制御が行なわれ、デジタルカメラとしての動作が制御されている。
【００３４】
なお、前述した焦点距離可変なレンズの調整にあっては、十字キー１０１ｂの中の上キーが操作されて光学ズームの指示がメインＣＰＵ１１０を経由して測光・測距ＣＰＵ１４０に伝えられ、ＣＰＵ１４０ではその光学ズームの指示に基づいて焦点距離可変なレンズが光学ズームの倍率に応じた焦点距離に対応する位置に駆動される。さらにズーム操作が行われて電子ズームに切り替わると、電子ズーム処理部１１７で電子ズームの処理が行なわれる。このときには光学ズームと電子ズームの切替がユーザにはわからないように連続的に行なわれる。
【００３５】
またこの実施形態のデジタルカメラ１００には、メニューキー１０１も備えられており、このメニューキー１０１が操作されると画像表示ＬＣＤ１８０には選択メニューが表示される。この表示された選択メニューの、任意の位置に十字キー１０１を操作してカーソルを移動させることができる。この十字キー１０１には上キー、下キー、右キー、左キーがそれぞれ設けられており、いずれかのキーが操作されるとＣＰＵ１１１ではその操作指示内容が検知され、その検知された内容に基づいた制御信号がバス１１５を介して画像表示ＬＣＤ１８０へ転送されてメニュー画面に表示された複数の選択項目の間をカーソルが移動する。したがってユーザは画像表示ＬＣＤ１８０に表示されるカーソルを十字キーを操作して自分の好きなところへ移動させて、選択メニュー／ＯＫキー１０１ｃを押すだけで好きな項目を選択することができる。たとえばこの十字キー１０１によって画像表示ＬＣＤ１８０に表示されるメニューの中の閃光モードの項目にカーソルを移動させて選択メニュー／ＯＫキー１０１ｃを押すと、閃光モードであることがメインＣＰＵ１１０に検知される。この閃光モードには「オート発光」、「赤め軽減」、「強制発光」、「発光禁止」などのモードがあり、その中の「オート発光」モードが十字キー１０１によりさらに選択されると、被写界の輝度に応じて自動的に閃光発光部１６０から閃光の発光が行なわれる。
【００３６】
この閃光発光部１６０にはフレネルレンズ１６０ｂとキセノン管１６０ｃと反射鏡１６０ｄが備えられており、メインＣＰＵ１１０からの閃光発光指示に基づいて閃光が発光される。また選択メニューの中の「オート発光」モードが選択され、ズーム操作が行われて焦点距離が調整されると、その焦点距離にあわせて反射鏡１６０ｃがモータ１６０ｅにより光軸に対し前後に駆動されてから閃光が自動的に被写体に向けて照射される。本実施形態のデジタルカメラではズーム操作が行われ続けて電子ズームに切り替わった後でも、反射鏡１６０ｃが電子ズームの撮影画角に合わせて駆動されるようになっている。電子ズームが行なわれたときには、焦点距離が調整されず、電子ズーム処理部１１７によってＣＣＤ固体撮像素子１１１から読み出された画像データの中央部が切り出されて処理が行なわれる。したがって、その倍率に合わせた位置に反射鏡１６０ｄが駆動され、レリーズ釦に同期して閃光が発光される。
【００３７】
選択メニューで「オート発光」が選択されると、夜間においてはほぼ無条件に閃光発光が行なわれるが日中シンクロ撮影が行なわれるときには測光装置の測定結果に基づいて閃光が行なわれる。
【００３８】
日中シンクロ撮影が行なわれるときの撮影条件としては、たとえば望遠で遠い被写体を撮影しようとしてさらに電子ズームを行なって中央の主被写体の部分を拡大したときに木漏れ日などによってその中央の被写体の部分に陰が生じていた場合、つまり逆光の場合がある。このように逆光であって主被写体の輝度が暗く、周囲が明るい逆光の場合にはそのまま撮影が行なわれると、主被写体の部分の陰影により画像が不鮮明になってしまうことが多い。そこで、その陰が生じた主被写体部に閃光を照射して撮影を行なって、固体撮像素子で得られた画像データを、閃光の色温度に応じたホワイトバランスに調整することが行なわれる。そうすると外界の色温度の取得が禁止され、閃光の色温度に応じたホワイトバランスの調整が行なわれて鮮明な画像が得られる。
【００３９】
ここで閃光発光部が日中シンクロ撮影条件下でどのように駆動されるかを説明する。
【００４０】
日中に閃光を伴った日中シンクロ撮影が行なわれるときには、選択メニューにより閃光モードの中の「オート発光」モードが選択され、ユーザによって任意にフレーミングが行なわれ、十字キーが操作されて遠方の被写体がズームされることが多い。このときには前述した焦点距離可変なレンズの位置が調整されて、たとえば望遠に対応する焦点距離にそのレンズが駆動される。このように望遠の焦点距離に対応する位置に焦点距離可変なレンズが駆動されて配置されたときには閃光発光部１６０の反射鏡１６０ｄがその焦点距離に合わせて閃光を遠くまで到達させるべく、キセノン管１６０ｃから離れた位置にメインＣＰＵ１１０からの指示に基づいて駆動される。同様に広角ズームに設定された場合には反射鏡１６０ｄがキセノン管１６０ｃの近くに駆動され配置される。
【００４１】
このように、光学ズームで望遠に対応する位置に焦点距離可変なレンズが測光・測距ＣＰＵ１４０からの指示に基づいて駆動されると、その望遠の倍率に合わせて閃光発光部１６０の反射鏡１６０ｄがキセノン管１６０ｃから離れる位置に駆動されて、広角に対応する位置に焦点距離可変なレンズが駆動されると広角の倍率にあわせて閃光発光部１６０の反射鏡１６０ｄがキセノン管１６０ｃの近くの位置に駆動される。こうして反射鏡１６０ｄが駆動された後でレリーズ釦１０２が押されると、そのレリーズ釦１０２の押下に同期してキセノン管１０６ｃが自動的に発光し、望遠あるいは広角といった撮影画角に合わせて閃光が照射される。
【００４２】
望遠に合わせて閃光が遠くの被写体に向けて照射されるときには、反射鏡１６０ｄがキセノン管１６０ｃから離れた位置にあり、キセノン管１６０ｃから発光された閃光がフレネルレンズ１６０ｂの中央部分に照射される。そうするとフレネルレンズ１６０ｂで閃光が遠くに到達するように照射範囲が狭められて被写体に向けて照射される。
【００４３】
また、広角に合わせて閃光が広げられて照射されるときには、反射鏡１６０ｄがキセノン管１６０ｃの近くの位置にあり、キセノン管１６０ｃから発光された閃光がフレネルレンズ１６０ｂの端部にまで拡げられて照射される。そうするとフレネルレンズ１６０ｂで閃光の照射範囲が広角にまで拡げられて被写体に向けて照射される。
【００４４】
このように閃光発光部１６０の反射鏡１６０ｄが焦点距離にあわせて駆動され、閃光の配光が整えられる。
【００４５】
ここで前述したように電子ズーム操作が行われて、光学ズームでは実現されない倍率まで十字キー１０１ｂが操作され続けて電子ズームが行われると、前述した測光装置によって計測された測定結果に基づいて閃光の発光が制御される。日中であるので主被写体に充分な輝度がある場合には、閃光を発光する必要がないので閃光が発光されない。ここで、測光装置によってスポット的に計測された主被写体の輝度が周囲の輝度に比べて所定の値だけ低いことが検出されたら、メインＣＰＵ１１０では閃光発光部１６０へ電子ズーム操作の画角にあわせて閃光が照射されるように制御信号が供給される。この制御信号は光学ズーム操作に合わせて反射鏡１６０ｄが駆動された位置から閃光の照射角をさらに狭めるようにするために反射鏡１６０ｄを駆動するための制御信号であって、反射鏡１６０ｄはキセノン管１６０ｃから、さらに離れた位置に駆動される。このように反射鏡１６０ｄがキセノン管１６０ｃからさらに離れた位置に駆動されると、フレネルレンズ１６０ｂの中央部に閃光がさらに狭められて照射される。フレネルレンズ１６０ｂの中央部の曲率はあまり大きくないのでそのフレネルレンズ１６０ｂの中央部を通過した閃光はフレネルレンズ１６０ｂであまり大きく屈折されずに遠くの被写体にまで到達するような閃光として照射される。
【００４６】
図２はＥＥＰＲＯＭ１１０ａ内に格納されているプログラムの処理を示すフローチャートである。このプログラムにしたがってメインＣＰＵ１１０では閃光発光の配光の制御が行なわれる。
【００４７】
ステップＳ３０１で閃光発光モードの処理プロセスが立ち上がる。ステップＳ３０２では選択メニューで「閃光モード」の中の「オート発光モード」が選択されていたらＹｅｓと判定される。前述したように主被写体の輝度と主被写体周辺の輝度とが測光・測距ＣＰＵ１４０側でそれぞれ検出されており、それぞれの検出結果がメインＣＰＵ１１０には供給されている。ステップＳ３０３ではそれらの結果に基づいて主被写体の輝度と主被写体周辺の輝度の比較が行なわれる。このステップＳ３０３で主被写体の輝度が周囲の輝度に比べて所定の値以下であると判定されたら、Ｙｅｓ側へ進み、次のステップＳ３０４での処理が行なわれる。このステップＳ３０３で主被写体の輝度が主被写体周辺の輝度に比べて所定の値以下ではないと判定された場合には、ステップＳ３０２へと戻される。
【００４８】
日中シンクロ撮影は日中に行なわれるものであるので、双方の輝度に差がないと判定された場合には閃光発光が行なわれず撮影が行なわれて、ホワイトバランスは外界の色温度に応じたホワイトバランスに調整される。
【００４９】
ステップＳ３０３でＹｅｓと判定された後で電子ズームが行なわれたら、ステップＳ３０４で電子ズームが行なわれていることが検出されて次のステップＳ３０５へと移行する。ステップＳ３０５では閃光の色温度に応じたホワイトバランスに調整されるように色温度がキセノン管の閃光の色温度値たとえば４７００Ｋに固定される。メインＣＰＵ１１０では閃光発光部１６０に対し、電子ズームの操作に応じて反射鏡１６０ｄを駆動する指示が出され、反射鏡が所定の位置に配置される。ここでメインＣＰＵ１１０から閃光発光部１６０に閃光発光指示が出されたら、キセノン管１６０ｃから発光された閃光の照射角度が反射鏡１６０ｄおよびフレネルレンズ１６０ｂにより狭められて被写体に向けて照射される。電子ズームが行なわれた場合には、電子ズーム処理部でＣＣＤ固体撮像素子１１１に結像された被写体像の中央部分の画像データが切り出されて電子ズームの処理が行なわれる訳であるから、電子ズームの倍率にあわせて閃光が狭められて照射されるように閃光発光部１６０の反射鏡１６０ｄがモータ１６０ｅにより所定の位置に駆動される。
【００５０】
この後でステップＳ３０６でレリーズ釦１０２が押されたことが検知されたら、そのレリーズ釦１０２の押下に同期して閃光が被写体に向けて照射される。そして次のステップで照射角度が狭められて閃光が照射されて撮影が行なわれたときの画像データがＣＣＤ固体撮像素子１１１から取り込まれＹＣ信号処理部１１６でＹＣ信号に変換される。そのＹＣ信号に変換された画像データが電子ズーム処理部１１７で処理され、記録メディア１２２に取り込まれる。
【００５１】
このように光学ズームだけでなく、電子ズームが行なわれても、閃光の配光が整えられて閃光が照射される。したがって、電子ズームが行なわれても、電子ズームされる撮影画角に合わせて閃光が行なわれるため、電子ズームが行なわれる主被写体部分に充分な撮影レベルが確保されて撮影が行なわれる。また、閃光が照射された主被写体の部分がズームされる訳であるから、ホワイトバランスおよびγ処理部ではＣＣＤ固体撮像素子１１１から読み出されたＲＧＢ信号が閃光の色温度に応じたホワイトバランスに調整される。このように閃光の色温度に応じたホワイトバランスに固定され、外界からの光に応じた色温度の取得が禁止されると、主被写体領域の画像データが処理されるときに安定したダイナミックレンジが確保され、確実にＲＧＢ信号の処理が行なわれる。そうすると表示装置に表示される被写体像であっても、印刷される被写体像であっても正しい色味の高画質な被写体像が得られる。
【００５２】
また、電子ズームの倍率に応じて配光が整えられて閃光が狭められるので無駄な閃光が照射されず効率的に主被写体部分にのみ照射される。
【００５３】
したがって、今までと同じ閃光発光量であったとしてもより遠くにまで閃光を到達させることができる。このように、閃光を遠くへ到達させるためにわざわざ発光量の大きなキセノン管を設けなくても、またそのキセノン管に大きな電力を供給するための大きなメインコンデンサを設けなくても良く、今までと同じキセノン管、メインコンデンサを使用したとしても、充分閃光を遠方の被写体にまで到達させることができる。
【００５４】
【発明の効果】
以上、説明したように、本発明のカメラによれば、同じ閃光発光量でより遠方の被写体まで閃光を到達させることができ、かつ正確にホワイトバランスの調節を行なうことができるデジタルカメラを提供することができる。
【図面の簡単な説明】
【図１】本発明の実施形態を示すデジタルカメラの外観を示す図である。
【図２】図１に示すデジタルカメラ内部の構成ブロック図である。
【図３】ＥＥＰＲＯＭに格納されたプログラムに書かれた処理の手順を示すフローチャートである。
【符号の説明】
１００　　デジタルカメラ
１０１ａ　　パワースイッチ
１０１ｂ　　十字キー
１０１ｃ　　メニュー／ＯＫキー
１０１ｄ　　キャンセルキー
１０１ｅ　　モードスイッチ
１０１ｆ　　操作ＬＣＤ表示部
１０２　　レリーズ釦
１０３　　投光窓
１０４　　受光窓
１０５　　ファインダ対物窓
１１０　　メインＣＰＵ
１１０ａ　　ＥＥＰＲＯＭ
１１１　　ＣＣＤ固体撮像素子
１１２　　ホワイトバランスおよびγ処理部
１１３　　Ａ／Ｄ変換部
１１４　　バッファメモリ
１１５　　ＹＣ処理部
１１６　　電子ズーム処理部
１２０　　圧縮・伸張／ＩＤ抽出部
１２１　　Ｉ／Ｆ
１２２　　メモリカード
１３０　　電源
１４０　　測光・測距用ＣＰＵ
１４１　　ＣＧ
１４２　　充電・発光制御部
１５０　　撮影光学系
１５１　　フォーカスレンズ
１５２　　絞り
１６０　　閃光発光部
１６０ａ　　閃光発光窓
１６０ｂ　　フレネルレンズ
１６０ｃ　　キセノン管
１６０ｄ　　反射鏡
１６１　　モータ
１７０　　レンズ鏡胴
１７１ａ　１７１ｂ　　フォーカスレンズ
１７２　　絞り
１８０　　画像表示ＬＣＤ
１８０ａ　　表示パネル
１８１　　ＹＣ→ＲＧＢ変換部
１８２　　ドライバ
【図１】
2004053933.tif 000003
【図２】
2004053933.tif 000004
【図３】
2004053933.tif 000005